(57)【特許請求の範囲】
【請求項１】
壁１の隅部２を中心とし、直交させて配置される造作部材３と、上記造作部材３の向かい合うそれぞれの端部４を被覆する隅部用造作部材５からなる隅部用造作部材セットであり、上記造作部材３には前端面６付近を残して縦方向に開口された嵌合凹所７が形成されており、上記隅部用造作部材５の背面には上記造作部材３の嵌合凹所７内に嵌合可能なように上記嵌合凹所７の形状に対応して縦方向に突出した嵌合突起８が形成されていることを特徴とする隅部用造作材セット。
【請求項２】
上記隅部用造作部材５の背面には上記造作部材３の高さ及び厚みに対応した切り欠き部９が形成されていることを特徴とする請求項１記載の隅部用造作材セット。
【発明の詳細な説明】
【０００１】
【発明の属する技術分野】
本発明は壁の出隅部または入隅部を中心とし、直交させて配置される幅木や廻り縁等の造作部材と、上記造作部材の向かい合うそれぞれの端部を被覆する隅部用造作部材からなる隅部用造作材セットに係るものである。
【０００２】
【発明が解決しようとする課題】
従来から壁の隅部を中心として直交させて造作部材を取り付けた後に上記造作部材の上から上記造作部材の向かい合うそれぞれの端部を被覆する隅部用造作部材が存在することは既に知られている。上記隅部用造作部材は接着剤や両面テ−プによって上記造作部材の表面上に固定されていたが、これらのものは消耗品であるため常に在庫をもたなくてはならず、また施工も手間がかかるものであった。
【０００３】
【課題を解決しようとする手段】
本発明の隅部用造作材セットは第１発明として壁の隅部を中心とし、直交させて配置される造作部材と、上記造作部材の向かい合うそれぞれの端部を被覆する隅部用造作部材からなる隅部用造作材セットであり、上記造作部材には前端面付近を残して縦方向に開口された嵌合凹所が形成されており、上記隅部用造作部材の背面には上記造作部材の嵌合凹所内に嵌合可能なように上記嵌合凹所の形状に対応して縦方向に突出した嵌合突起が形成されていることを特徴とする隅部用造作材セット、また、第２発明として第１発明の実施態様に係り上記隅部用造作部材の背面には上記造作部材の高さ及び厚みに対応した切り欠き部が形成されていることを特徴とする隅部用造作材セットに係るものである。
【０００４】
【発明の実施の形態】
以下、本発明の実施の態様に基づいて詳しく説明する。図１は本発明の一実施態様に係る隅部用造作材セットの一構成部材である隅部用造作部材の斜視図であり、図２は図１の上記隅部用造作部材の背面図である。また、図３は隅部用造作材セットの一構成部材である壁面に取り付けられた状態の造作部材と、上記隅部用造作部材との位置関係を示す要部斜視図である。また、図４は隅部用造作部材が上記造作部材に取り付けられた状態を示す要部斜視図である。
【０００５】
上記造作部材３について説明する。上記造作部材３は幅木である。上記造作部材３はその背面および底面を床１０および壁１に当接させられ接着剤によって固定されている。上記造作部材３を固定する方法としては接着剤を使用する以外にも例えば両面テ−プを使用する方法等が考えられる。上記造作部材３は縦７０ｍｍ、横３９５０ｍｍ、厚み９ｍｍの合板基材にツキ板を貼着して形成しているが上記造作部材３の材質としてはこれに限定されるものではなく、例えば基材としてＭＤＦ（中質繊維板）を使用したり、また、上記基材に塩化ビニ−ルシ−トや化粧紙を貼着したりすることも考えられる。上記壁１の隅部２は入隅とされており、上記隅部２を中心としてそれぞれの上記造作部材３が直交させられ取り付けられている。また、上記造作部材３は背面から上記造作部材３の前面の前端部６付近を５ｍｍほど残して垂直方向に切り欠かれ、嵌合凹所７を形成している。上記嵌合凹所７は隅部用造作部材５の背面に設けられた嵌合突起８の位置に対応しており、上記隅部用造作部材５を上記造作部材３に簡単に取り付けられる構造とされている。また、上記隅部用造作部材５および造作部材３の形状は図示されたものだけではなく、他にも様々な形状が考えられる。
【０００６】
次に上記隅部用造作部材５について説明する。上記隅部用造作部材５は上記嵌合突起８を除いた上記隅部用造作部材５の形状に対応した型枠内に樹脂を注入、固化させて原型を作成し、上記原型に別に成型された嵌合突起８が二本取り付けられて形成されている。上記嵌合突起８の形状は図示するような形状でなくても上記造作部材３に形成される嵌合凹所７の形状に対応しているのであればどのような形状であっても構わない。また、上記嵌合突起８と上記隅部用造作部材５との間には上記造作部材３のうち、嵌合凹所７が形成されている箇所の厚み方向に残された前端面６の厚みに対応した空間が形成されている。上記隅部用造作材部材５の中心を壁１の隅部２に当てて下方向に移動させれば上記造作材３の嵌合凹所７内に上記隅部用造作部材５の嵌合突起８が挿入され、上記隅部用造作部材５が固定される。
【０００７】
上記隅部用造作部材５の背面には上記造作部材３の高さおよび厚みに対応した切り欠き部９が形成されているが、これは上記隅部用造作部材５と壁１との間に生じる隙間を極力なくすためである。上記切り欠き部９が上記隅部用造作部材５の背面に形成されていれば上記造作部材３に上記隅部用造作部材５を取り付けたときに非常に美麗な仕上がりとなる。
【０００８】
図５は本発明の他の実施態様に係り、表面を一部面取りされた隅部用造作部材を一構成部材とする隅部用造作部材セットの要部斜視図である。図示された隅部用造作部材５の場合、その上部のみ面取りされているが、この箇所に限定されるものではなく、側端部のみ面取りされていたり、また、上部と側端部が両方とも面取りされていたりするものであっても構わない。上記隅部用造作部材５の表面に面取りがされていれば足が当たったりした場合でもけがをしにくいという利点がある。
【０００９】
図６は本発明の他の実施態様に係り、壁１の出隅に対応した隅部用造作部材を一構成部材とする隅部用造作材セットの斜視図である。上記隅部用造作部材５は壁１の出隅に対応するように形成されているが構造としては壁の入隅に対応しているものとほぼ同じで、上記壁１の出隅を中心として直交させて取り付けられる造作材３のそれぞれの端部４を被覆し、その背面には上記造作材３に形成された嵌合凹所７の形状に対応した嵌合突起８が形成されており、出隅部用造作部材との違いはその平面形状が上記壁１の入隅に対応する上記隅部用造作部材とは水平方向に対称と成されているというだけである。
【００１０】
図７は本発明の他の実施形態に係り、天井用の廻り縁として使用される造作部材を一構成部材とする隅部用造作材セットの斜視図である。上記隅部用造作部材５は天井に取り付けられるものであるために上記隅部用造作部材５の取り付け後も落下する可能性があり、上記隅部用造作部材５の嵌合突起８を上記造作部材３の嵌合凹所７よりもやや大きく形成したり、上記嵌合突起７の表面に引掛部を設けたり、何等かの脱落防止対策が必要となる。また、上記隅部用造作部材５は上記造作部材３である廻り縁の形状に対応したものであり、その寸法は幅木に使用されるものよりもやや小さく成されている。
【００１１】
【発明の効果】
本発明の隅部用造作材セットは上部に前端面付近を残して形成された嵌合凹所が形成された造作部材および背面に上記造作部材の嵌合凹所の形状に対応する嵌合突部が形成された隅部用造作部材を使用しているので施工が非常に簡単である。
【００１２】
また、背面に上記造作部材の高さ及び厚みに対応した切り欠き部が形成された隅部用造作部材を使用すれば上記隅部用造作部材と壁との間に生じる隙間が小さくなり、上記隅部用造作材セットの施工後の仕上がりが美麗なものとなる。
【図面の簡単な説明】
【図１】本発明の一実施態様に係る隅部用造作材セットの一構成部材である隅部用造作部材の斜視図。
【図２】図１の隅部用造作部材の背面図。
【図３】本発明の一実施態様に係る隅部用造作材セットの一構成部材である壁に取り付けられた造作部材と、隅部用造作部材との位置関係を示す隅部用造作材セットの要部斜視図。
【図４】本発明の一実施態様に係る隅部用造作部材が造作部材に取り付けられた状態を示す隅部用造作材セットの要部斜視図。
【図５】本発明の他の実施態様に係る表面を一部面取りされた隅部用造作部材を一構成部材とする隅部用造作材セットの要部斜視図。
【図６】本発明の他の実施態様に係る壁の出隅に対応した隅部用造作部材を一構成部材とする隅部用造作材セットの要部斜視図。
【図７】本発明の他の実施態様に係る天井用の廻り縁として使用される造作部材を一構成部材とする隅部用造作材セットの要部斜視図。
【符号の説明】
１  壁
２  隅部
３  造作部材
４  端部
５  隅部用造作部材
６  前端面
７  嵌合凹所
８  嵌合突起
９  切り欠き部
【図１】
0003754797.tif 000002
【図２】
0003754797.tif 000003
【図３】
0003754797.tif 000004
【図４】
0003754797.tif 000005
【図５】
0003754797.tif 000006
【図６】
0003754797.tif 000007
【図７】
0003754797.tif 000008